(57)【特許請求の範囲】
【請求項１】
一端に固定顎および滑り溝を有する本体と、
前記本体の内部に設けられ、自由に回転可能な調整ウォーンギアと、
少なくとも一部が前記本体の前記滑り溝の中に収容されている自在顎とを備え、
前記自在顎はラックを有し、前記調整ウォーンギアと噛み合い、前記調整ウォーンギアを回転させることにより、前記自在顎は固定顎と接近しあるいは離れ、前記本体は前記滑り溝において前記自在顎の移動方向に対し垂直な方向で前記自在顎の両側に前記自在顎とともにそれぞれ空間を形成し、前記空間の中にそれぞれ所定数の補填部材が設置され、前記補填部材の一端は前記自在顎あるいは前記本体の中に設けられ、前記補填部材の他端は相対する前記自在顎あるいは前記本体を押付けていることを特徴とする自在スパナ。
【請求項２】
前記自在顎の所定位置には前記自在顎の移動方向に対し垂直に前記自在顎を貫く少なくとも一つの抜け穴が設けられ、前記抜け穴の内部に補填部材が設置され、前記補填部材の軸方向の両端は前記自在顎が収容される前記滑り溝を形成する前記本体に接していることを特徴とする請求項１記載の自在スパナ。
【請求項３】
前記補填部材は弾性を有する柱体により構成され、前記自在顎の前記抜け穴の内部に設置され、前記補填部材の両端はそれぞれ前記本体を支えていることを特徴とする請求項２記載の自在スパナ。
【請求項４】
前記補填部材は二つの玉および一つの弾性部材を有し、前記二つの玉は前記自在顎の前記抜け穴の両端に設置され、前記弾性部材は前記抜け穴の内部に設置され、前記弾性部材の両端により前記二つの玉は支えられていることを特徴とする請求項２記載の自在スパナ。
【請求項５】
前記自在顎の両側にはそれぞれ所定数の収容溝が設けられ、前記収容溝内にはそれぞれ補填部材が設置され、前記補填部材の外壁は前記本体に押付けられていることを特徴とする請求項１記載の自在スパナ。
【請求項６】
前記収容溝は長形に成形され、前記補填部材は前記収容溝に対応した条形に成形され、前記補填部材はそれぞれ前記収容溝内に設置されていることを特徴とする請求項５記載の自在スパナ。
【請求項７】
前記補填部材は一つの玉と一つの弾性部材とを有し、前記玉は前記自在顎の前記収容溝の開口端に設置され、前記弾性部材は前記収容溝内に設置され、前記弾性部材の一端により前記玉は支えられていることを特徴とする請求項５記載の自在スパナ。
【請求項８】
前記自在顎の移動方向に沿って前記滑り溝を形成する前記本体の両側の壁面には、それぞれ所定数の収容溝が設けられ、前記収容溝内にはそれぞれ補填部材が設置され、前記補填部材の外壁は前記自在顎に接していることを特徴とする請求項１記載の自在スパナ。
【請求項９】
前記収容溝は長形に成形され、前記補填部材は前記収容溝に対応して条形に成形され、前記補填部材はそれぞれ前記収容溝内に設置されていることを特徴とする請求項８記載の自在スパナ。
【請求項１０】
前記自在顎の移動方向に沿って前記滑り溝を形成する前記本体の両側の所定位置には、所定数の前記滑り溝まで貫いている抜け穴が設けられ、
前記抜け穴の前記自在顎側の開口端にはそれぞれ補填部材が設置され、前記補填部材の前記自在顎側の端部は前記自在顎に押付けられ、
前記抜け穴の前記自在顎とは反対側の開口端には閉鎖部材が設置され、前記抜け穴の前記自在顎とは反対側の開口を閉鎖していることを特徴とする請求項１記載の自在スパナ。
【請求項１１】
前記補填部材は一つの玉および一つの弾性部材により構成され、前記玉は前記本体の前記抜け穴の内側の開口端に設置され、前記弾性部材は前記抜け穴の中に設置され、一端は前記玉を支え、他端は前記閉鎖部材を支えていることを特徴とする請求項１０記載の自在スパナ。
【請求項１２】
前記補填部材は弾性を有する柱体により構成され、一端は前記本体の前記抜け穴の中に固定設置され、他端は前記自在顎を支えていることを特徴とする請求項１０記載の自在スパナ。
【請求項１３】
前記補填部材は前記自在顎と前記本体との間に摩擦力を提供することを特徴とする請求項１記載の自在スパナ。
【請求項１４】
前記自在顎の底端にはネック部を有し、前記ネック部の底端には滑りブロックが設けられ、
前記自在顎の前記ネック部および前記滑りブロックは前記本体の前記滑り溝内に収容され、
前記自在顎の移動方向に対し垂直な方向において前記ネック部の両側にはそれぞれ前記補填部材の一端が設置され、前記補填部材の他端は前記本体を支えていることを特徴とする請求項１記載の自在スパナ。
【請求項１５】
前記自在顎の底端にはネック部を有し、前記ネック部の底端には滑りブロックが設けられ、
前記自在顎の前記ネック部および前記滑りブロックは前記本体の滑り溝の中に収容され、
前記補填部材の一端はそれぞれ前記本体の所定位置に設置され、他端は前記自在顎の移動方向に対し垂直な方向において前記自在顎の前記ネック部の両側を支えていることを特徴とする請求項１記載の自在スパナ。
【発明の詳細な説明】
【０００１】
【発明の属する技術分野】
本発明は自在スパナに関する。
【０００２】
【従来の技術】
従来の自在スパナは、図１に示すように、自在スパナ１００を横に置き、親指で調整ウォームシャフト（ａｄｊｕｓｔｉｎｇ  ｗｏｒｍ）１０１を回転させることによって自在顎（ａｄｊｕｓｔｉｎｇ  ｊａｗ）１０２を所定位置まで調整する。自在顎１０２は自在スパナの固定顎（ｆｉｘｅｄ  ｊａｗ）の滑りレール（ｓｌｉｄｅ  ｒａｉｌ）１０４の中を移動するため、自在顎１０２の滑りレール１０３と自在顎の滑りレール１０４との間には遊びｃが設けられている。
【０００３】
【発明が解決しようとする課題】
しかしながら、自在顎１０２自身の重量ｗで起こるトルクは自在顎１０２を下へ傾斜させるので、自在顎１０２のレール１０３を固定顎の滑りレール１０４の上に押さえ、自在顎１０２が移動する際、二つの滑りレール１０３、１０４の間には摩擦が生じ、長時間使用すると摩擦により破損する可能性がある。これにより自在顎１０２は順調な移動画布可能となる。
【０００４】
伝統的に上述の問題を低減させる方式としてアメリカ国家標準ＡＳＭＥ  Ｂ１０７．８Ｍ−１９９６の中に規定されている、自在顎と固定顎との間の遊びｃを減少させ、自在顎の遊び（ｃｌｅａｒａｎｃｅ  ｏｆ  ｔｈｅ  ａｄｊｕｓｔａｂｌｅ  ｊａｗ）が０．３０ｍｍ〜０．４７ｍｍ（自在スパナの寸法によって若干の異なりがある）より低くなるよう設定する方式がある。世界標準組織ＩＳＯのＩＳＯ６７８７−１９８２（Ｅ）の中にも規定されているが、微量の側圧力（ａ  ｓｌｉｇｈｔ  ｓｉｄｅ  ｐｒｅｓｓｕｒｅ）を自在顎に加える際には、自在顎の遊びは０．２５ｍｍ〜０．３６ｍｍより低くなる必要がある。これは次のような欠点がある。
【０００５】
（イ）ＩＳＯおよびＡＳＭＥに規定があるが、自在顎と固定顎の滑りレールとの間に起こる摩擦をなくすことは可能ではない。
（ロ）自在顎と固定顎の滑りレールとの間に起こる摩擦によって互いに順調に滑ることができない。
（ハ）自在顎が移動しながら、揺れ動く。
したがって本発明の目的は、自在顎と固定顎の滑りレールとの摩擦を無くした自在スパナを提供することにある。
【０００６】
【課題を解決するための手段】
上述の課題を解決するために本発明の請求項に記載の自在スパナは、一端に固定顎が設けられ、固定顎に接近する所定位置には滑り溝が設けられ、一端は本体の滑り溝の中に収容され、固定顎を接近させたり離れさせたりすることが可能な自在顎とを含む。
自在顎により滑り溝は二つの空間に分けられ、各空間の中に少なくとも一つの補填部材が設置されることにより二つの空間の遊びが補填されている。
【０００７】
【発明の実施の形態】
以下、本発明の実施例を図面に基づいて説明する。
本発明の第一実施例による自在スパナは、図２、図３および図４に示すように、ハンドル１１および固定顎１２を有する本体１０を備え、本体１０が固定顎１２に接近する一端には、横向きに延びる滑り溝１３が設けられている。
本体１０の、滑り溝１３の下の位置には、上端と滑り溝１３とが連通する収容穴１４が設けられている。
【０００８】
収容穴１４内には、その右端にはウォーンシャフトばね２２を有する、調整ウォーンシャフト２１が収容されている。ウォーンシャフトばね２２の一端は本体１０を支えている。本体１０、調整ウォーンシャフト２１およびウォーンシャフトばね２２を貫いて調整ウォーンシャフト２１を自由に回転させることが可能なウォーンシャフトピン２３が設けられている。
【０００９】
自在顎３０の底端にはネック部３１が設けられ、ネック部３１の底端には一つの円柱体を呈する滑りブロック３２を有し、ネック部３１および滑りブロック３２が本体１０の滑り溝１３の中に収容されている。
本体１０の二つの空間１３１および空間１３２を補填するために、補填部材４１および補填部材４２が設けられている。
【００１０】
自在顎３０は所定範囲内で固定顎１２を接近させあるいは離れさせることが可能である。滑りブロック３２にはラック３３が設けられ、調整ウォーンシャフト２１と噛み合わされている。調整ウォーンシャフト２１を回転させると自在顎３０が移動される。自在顎３０のネック部３１および滑りブロック３２は本体１０の滑り溝１３内に収容された後、滑り溝１３のネック部３１の両側には空間１３１および空間１３２が形成されている。
【００１１】
本実施例によると、自在顎３０のネック部３１には二つの抜け穴３４１および抜け穴３４２が設けられ、補填部材４１および補填部材４２はそれぞれ弾性を有する長形ゴムブロックであって両端が円弧状を呈し、かつその長さは本体１０の滑り溝１３の幅よりやや大きいかあるいは同じである。補填部材４１補填部材４２の中間部分はそれぞれ緊迫嵌め合い方式により自在顎３０のネック部３１の抜け穴３４１、抜け穴３４２の中に設置されている。補填部材４１補填部材４２の両端はそれぞれ空間１３１空間１３２に位置し、本体１０を押付けている。
【００１２】
図４に示すように本実施例による自在スパナ１の本体１０を横に置き、親指で調整ウォームシャフト２１を回転させると、自在顎３０自身の重量ｗで起こるトルクを二つの補填部材４１補填部材４２で受ける。自在顎３０の滑りレール３５は本体１０の滑りレール１５と接触せず、予め設定されている遊びを保持可能となり、自在顎３０が移動する過程中に二つのレール１５およびレール３５の間に摩損が起こらない。長期の使用にも、自在顎３０は耐えうる。
【００１３】
その他、自在スパナは異なる寸法の六角（あるいは四角）ナットあるいはボルトに使用することが可能であり、自在顎３０が所定位置まで調整された後、自在顎３０のラック３３が調整ウォームシャフト２１と噛み合うときに起こる歯クリアランス（ｃｌｅａｒａｎｃｅ  ｏｆ  ｔｅｅｔｈ）ｃ１によって自在顎３０は移動方向に前後の揺れが起こる。開口寸法ｓが変更され、ナットの回転に障害となる。しかしながら、本発明の実施例により提供される自在スパナは上記の欠点を低減することができる。その理由は下記にある。
【００１４】
図３を参照して説明する。上述のように、補填部材４１補填部材４２の両端はそれぞれ本体１０に押付けられている。自在顎３０が所定位置まで調整された後、補填部材４１および補填部材４２と本体１０の間には摩擦力ｆ（静摩擦力）が発生し、自在顎３０がラック３３と該調整ウォームギア２１と歯クリアランスの背で起こる揺れを回避可能となる。すなわち、本発明で提供する自在スパナ１は、自在顎３０と本体１０の滑りレール３５、１５との間が摩擦で摩損を起こることを回避するばかりでなく、さらに自在顎３０が所定位置まで調整された後に摩擦力を提供していつも自動的に自在顎３０を定位する。
【００１５】
本発明の第二実施例による自在スパナは、図５、図６に示すように、本体５１と、自在顎５２と、調整ウォームシャフト５３と、二つの補填部材５４および補填部材５５とによって構成されている。
【００１６】
第一実施例との相違点は、自在顎５２のネック部５２１の両側にはそれぞれ一つの長形収容溝５２２および長形収容溝５２３が設けられていることである。補填部材５４および補填部材５５は条形に形成され、外側には一つのテフロン層あるいは他の耐摩耗材料を有する。補填部材の一端はそれぞれ収容溝５２２および収容溝５２３の中に固定設置され、他端は本体５１を押付けている。
【００１７】
本発明の第三実施例による自在スパナは、図７、図８に示すように、本体６１と、自在顎６２と、調整ウォームシャフト６３と、補填部材６４、補填部材６５および補填部材６６とによって構成されている。自在顎６２の上には円形収容溝６２１、円形収容溝６２２および円形収容溝６２３が設けられ、そのうち二つの円形収容溝６２１、円形収容溝６２３は自在顎６２の一側に配置され、円形収容溝６２２は自在顎６２の他側に配置されている。補填部材６４、補填部材６５および補填部材６６（図７にはそのうちの一つを完全に表示）は、金属玉６４１および弾性体６４２（ここではばね）により構成されている。金属玉６４１は収容溝６２１の開口端に設置されている。収容溝６２１の開口端がやや内へ収縮して金属玉６４１の脱落を防止している。弾性体６４２の一端は収容溝６２１の底端を支え、他端は金属玉６４１を支え、金属玉６４１に弾性力を提供し本体６１を押付けている。
【００１８】
本発明の第四実施例による自在スパナは、図９に示すように、第三実施例に類似しているが、自在顎７２の上には抜け穴７２１および補填部材７３が設置されている。補助部材７３は二つの金属玉７３１および弾性体７３２（ここではばね）により構成されている。金属玉７３１は抜け穴７２１の両端に設置され、弾性体７３２は抜け穴７２１の中に設けられてその両端はそれぞれ金属玉７３１を支え、金属玉７３１が本体７１を押付けている。
【００１９】
上記の各実施例の中において、補填部材はすべて自在スパナの自在顎に設置されているが、実務上は、補填部材を自在スパナ本体の所定位置に設置しても、同じ機能を達成することが可能である。
【００２０】
本発明の第五実施例による自在スパナは図１０に示すように、本体８１両側の所定位置にそれぞれ滑り溝８１３を貫通する二つの抜け穴８１１、抜け穴８１２が設けられている。補填部材８４、補填部材８５を有し、それぞれ金属玉８４１、金属玉８５１と弾性体８４２、弾性体８５２（ここではばね）により構成され抜け穴８１１、抜け穴８１２の中に設置されている。
【００２１】
抜け穴８１１、抜け穴８１２の外側は閉鎖部材８１４、閉鎖部材８１５によって開口を閉鎖されている。
本発明の第六実施例による自在スパナは、図１１、図１２に示すように、本体９１の滑り溝９１３の一つの開口端から、滑り溝９１３両側の壁面にそれぞれ長形収容溝９１１、長形収容溝９１２が開設されている。収容溝９１１、収容溝９１２の中に一つの条形補填部材９４、条形補填部材９５が設置され、補填部材９４、補填部材９５の外側は自在顎９２を支えている。
【００２２】
【発明の効果】
本発明の長所は、構造が簡単で製造が易くて、該自在顎と本体の滑りレールとの間に起こる摩擦によって起こる摩損を回避することができるばかりか、さらにいつも自動的に自在顎を定位することによって自在顎の揺れも避けられることである。
【図面の簡単な説明】
【図１】従来の自在スパナの構造の表示図である。
【図２】本発明の第一実施例による自在スパナを示す分解立体図である。
【図３】本発明の第一実施例による自在スパナの使用状態を示す正面図である。
【図４】本発明の第一実施例による自在スパナを示す側面構造表示図である。
【図５】本発明の第二実施例による自在スパナを示す正面図である。
【図６】本発明の第二実施例による自在スパナを示す側面構造表示図である。
【図７】本発明の第三実施例による自在スパナを示す正面図である。
【図８】本発明の第三実施例による自在スパナを示す側面構造表示図である。
【図９】本発明の第四実施例による自在スパナを示す側面構造表示図である。
【図１０】本発明の第五実施例による自在スパナを示す側面構造表示図である。
【図１１】本発明の第六実施例による自在スパナを示す正面図である。
【図１２】本発明の第七実施例による自在スパナを示す側面構造表示図である。
【符号の説明】
１、２、３、４、５、６    自在スパナ
１０    本体
１１    ハンドル
１２    固定顎
１３    滑り溝
１４    収容穴
１５    滑りレール
２１    調整ウォームシャフト
２２    ウォームシャフトばね
２３    ウォームシャフトピン
３０    自在顎
３１    ネック部
３２    滑りブロック
３３    ラック
３５    滑りレール
４１    補填部材
５１    本体
５２    自在顎
５３    調整ウォームシャフト
５４、５５    補填部材
【図１】
0003660266.tif 000002
【図２】
0003660266.tif 000003
【図３】
0003660266.tif 000004
【図４】
0003660266.tif 000005
【図５】
0003660266.tif 000006
【図６】
0003660266.tif 000007
【図７】
0003660266.tif 000008
【図８】
0003660266.tif 000009
【図９】
0003660266.tif 000010
【図１０】
0003660266.tif 000011
【図１１】
0003660266.tif 000012
【図１２】
0003660266.tif 000013